(57)【要約】【課題】水上に浮かべた二体の浮体ユニットを簡単かつ確実に接合することができる浮体構造物を提供することを課題とする。【解決手段】水上に浮かべた複数の浮体ユニット１０・・・によって構成される浮体構造物であって、隣り合う二体の浮体ユニット１０，１０の喫水部分Ｗよりも上方には上部接合部材１７が突設され、各浮体ユニット１０，１０の喫水部分Ｗには下部接合部材１８が突設されており、各浮体ユニット１０，１０の下部接合部材１８，１８同士が各浮体ユニット１０，１０の接合方向に係合されているとともに、各浮体ユニット１０，１０の上部接合部材１７，１７同士が固着されていることを特徴としている。【選択図】図８
2009299263.tif 000002
【特許請求の範囲】
【請求項１】
水上に浮かべた複数の浮体ユニットによって構成される浮体構造物であって、
隣り合う二体の前記浮体ユニットの側面において喫水部分よりも上方には上部接合部材が突設され、前記各浮体ユニットの側面において喫水部分には下部接合部材が突設されており、
前記各浮体ユニットの前記下部接合部材同士が前記各浮体ユニットの接合方向に係合されているとともに、前記各浮体ユニットの前記上部接合部材同士が固着されていることを特徴とする浮体構造物。
【請求項２】
前記各浮体ユニットの前記下部接合部材同士は、上下方向に嵌め合わされることで前記各浮体ユニットの接合方向に係合されていることを特徴とする請求項１に記載の浮体構造物。
【請求項３】
水上に浮かべた複数の浮体ユニットによって構成される浮体構造物の施工方法であって、
隣り合う二体の前記浮体ユニットの側面において喫水部分よりも上方には上部接合部材が突設され、前記各浮体ユニットの側面において喫水部分には下部接合部材が突設されており、
一方の前記浮体ユニットの前記下部接合部材が、他方の前記浮体ユニットの前記下部接合部材よりも上方又は下方に位置するように、少なくとも一体の前記浮体ユニットを水上で上下方向に傾斜させる傾斜工程と、
前記各浮体ユニットを接近させる接近工程と、
傾斜した前記浮体ユニットの姿勢を戻して、前記各浮体ユニットの前記下部接合部材同士を上下方向に嵌め合わせることで、前記各浮体ユニットの前記下部接合部材同士を接合方向に係合させる下部係合工程と、
前記各浮体ユニットの前記上部接合部材同士を固着する上部固着工程と、
を含むことを特徴とする浮体構造物の施工方法。
【請求項４】
前記上部接合部材には、前記各浮体ユニットの接合方向に対して略直交する幅方向に貫通した貫通孔が形成されており、
前記上部固着工程では、前記上部接合部材の前記貫通孔に挿通させた締結部材によって、前記各浮体ユニットの前記上部接合部材同士を固着していることを特徴とする請求項３に記載の浮体構造物の施工方法。
【請求項５】
前記傾斜工程では、前記浮体ユニットに積載された錘を移動させることで、前記浮体ユニットを傾斜させるとともに、前記下部係合工程では、前記浮体ユニットに積載された錘を移動させることで、傾斜した前記浮体ユニットの姿勢を戻すことを特徴とする請求項３又は請求項４に記載の浮体構造物の施工方法。
【発明の詳細な説明】
【技術分野】
【０００１】
本発明は、水上に浮かべた複数の浮体ユニットによって構成される浮体構造物、及びこの浮体構造物の施工方法に関する。
【背景技術】
【０００２】
箱状の浮体ユニットを水上に浮かべることで、浮桟橋などの浮体構造物を構築する場合には、鋼製の浮体ユニットをトラックやコンテナなどの搬送手段に積載可能な大きさに形成し、複数の浮体ユニットを水上で接合することによって、所望の大きさの浮体構造物を構築している。
そして、従来の浮体構造物としては、図１０に示すように、隣り合う二体の浮体ユニット１００，１００の喫水部分Ｗ，Ｗを跨ぐようにプレートＰを配置し、このプレートＰを複数のボルトＢ・・・によって各浮体ユニット１００，１００の側面に固着するとともに、各浮体ユニット１００，１００の喫水部分Ｗ，Ｗよりも上方を溶接によって固着しているものがある（例えば、特許文献１参照）。
【０００３】
前記した従来の浮体構造物では、水上に浮かべた二体の浮体ユニット１００，１００を引き寄せて接近させ、各浮体ユニット１００，１００の喫水部分Ｗ，Ｗに配置されたプレートＰに水中で締結部材（ボルトＢ）を締め付けて、各浮体ユニット１００，１００の喫水部分Ｗ，Ｗを固着している。
【０００４】
【特許文献１】特開２００４−３４８５１号公報（段落００１１〜００１３、図２）
【発明の開示】
【発明が解決しようとする課題】
【０００５】
前記した従来の浮体構造物では、二体の浮体ユニット１００，１００を接合するために、作業者はボルトＢなどの締結部材を潜水しながら水中で浮体ユニット１００に締め付ける必要があり、接合作業が煩雑になってしまうという問題がある。
【０００６】
そこで、本発明では、前記した問題を解決し、水上に浮かべた二体の浮体ユニットを簡単かつ確実に接合することができる浮体構造物、及びこの浮体構造物の施工方法を提供することを課題とする。
【課題を解決するための手段】
【０００７】
前記課題を解決するため、本発明の浮体構造物は、水上に浮かべた複数の浮体ユニットによって構成される浮体構造物であって、隣り合う二体の前記浮体ユニットの側面において喫水部分よりも上方には上部接合部材が突設され、前記各浮体ユニットの側面において喫水部分には下部接合部材が突設されており、前記各浮体ユニットの前記下部接合部材同士が前記各浮体ユニットの接合方向に係合されているとともに、前記各浮体ユニットの前記上部接合部材同士が固着されていることを特徴としている。
【０００８】
この構成では、二体の浮体ユニットを接合するときに、各浮体ユニットの喫水部分では下部接合部材同士を係合させており、水中で各浮体ユニットの喫水部分をボルトなどの締結部材によって固着する必要がないため、各浮体ユニットの喫水部分を簡単に接合することができる。
また、各浮体ユニットの喫水部分よりも上方では上部接合部材同士が固着されており、各浮体ユニットが相対的に移動しないため、下部接合部材同士の係合が解除されてしまうのを防ぐことができ、各浮体ユニットの喫水部分を確実に接合することができる。
【０００９】
前記した浮体構造物において、前記各浮体ユニットの前記下部接合部材同士は、上下方向に嵌め合わされることで前記各浮体ユニットの接合方向に係合されているように構成することができる。
【００１０】
この構成では、二体の浮体ユニットの喫水部分を接合するときに、下部接合部材を上下方向に嵌め合わせることで、各浮体ユニットの喫水部分を簡単に接合することができる。
【００１１】
前記課題を解決するため、本発明の浮体構造物の施工方法は、水上に浮かべた複数の浮体ユニットによって構成される浮体構造物の施工方法であって、隣り合う二体の前記浮体ユニットの側面において喫水部分よりも上方には上部接合部材が突設され、前記各浮体ユニットの側面において喫水部分には下部接合部材が突設されており、一方の前記浮体ユニットの前記下部接合部材が、他方の前記浮体ユニットの前記下部接合部材よりも上方又は下方に位置するように、少なくとも一体の前記浮体ユニットを水上で上下方向に傾斜させる傾斜工程と、前記各浮体ユニットを接近させる接近工程と、傾斜した前記浮体ユニットの姿勢を戻して、前記各浮体ユニットの前記下部接合部材同士を上下方向に嵌め合わせることで、前記各浮体ユニットの前記下部接合部材同士を接合方向に係合させる下部係合工程と、前記各浮体ユニットの前記上部接合部材同士を固着する上部固着工程と、を含むことを特徴としている。
【００１２】
この構成では、浮体ユニットを上下方向に傾斜させることで、各浮体ユニットの下部接合部材同士を干渉させることなく、各浮体ユニットを接近させることができる。また、傾斜した浮体ユニットの姿勢を戻すことで、各浮体ユニットの下部接合部材同士を上下方向に嵌め合わせることができる。したがって、前記した施工方法では、二体の浮体ユニットを接合するときに、水中で各浮体ユニットの喫水部分をボルトなどの締結部材によって固着する必要がないため、各浮体ユニットの喫水部分を簡単に接合することができる。
また、各浮体ユニットの喫水部分よりも上方では上部接合部材同士を固着しており、各浮体ユニットが相対的に移動しないため、下部接合部材同士の係合が解除されてしまうのを防ぐことができ、各浮体ユニットの喫水部分を確実に接合することができる。
【００１３】
前記した浮体構造物の施工方法において、前記上部接合部材には、前記各浮体ユニットの接合方向に対して略直交する幅方向に貫通した貫通孔が形成されており、前記上部固着工程では、前記上部接合部材の前記貫通孔に挿通させた締結部材によって、前記各浮体ユニットの前記上部接合部材同士を固着しているように構成することができる。
【００１４】
この構成では、各浮体ユニットの上部接合部材同士を締結部材によって固着しており、浮体ユニットの上面に載った作業者によって、各浮体ユニットの喫水部分よりも上方を簡単に接合することができる
また、各浮体ユニットの上部接合部材には、接合方向の幅方向に締結部材が挿通されており、各浮体ユニットが上下方向に相対移動しないため、上下方向に嵌め合わされた下部接合部材同士の係合が解除されてしまうのを確実に防ぐことができる。
【００１５】
前記した浮体構造物の施工方法において、前記傾斜工程では、前記浮体ユニットに積載された錘を移動させることで、前記浮体ユニットを傾斜させるとともに、前記下部係合工程では、前記浮体ユニットに積載された錘を移動させることで、傾斜した前記浮体ユニットの姿勢を戻すことができる。
【００１６】
この構成では、浮体ユニットに積載された錘を移動させることで、浮体ユニットの姿勢を簡単に変化させることができるため、二体の浮体ユニットを接合するときの作業効率を向上させることができる。
【発明の効果】
【００１７】
本発明の浮体構造物によれば、二体の浮体ユニットを接合するときに、各浮体ユニットの喫水部分では下部接合部材同士を係合させているため、各浮体ユニットの喫水部分を簡単に接合することができる。また、各浮体ユニットの喫水部分よりも上方では上部接合部材同士が固着されており、各浮体ユニットが相対的に移動しないため、各浮体ユニットの喫水部分を確実に接合することができる。
【００１８】
本発明の浮体構造物の施工方法によれば、浮体ユニットを上下方向に傾斜させることで、各浮体ユニットの下部接合部材同士を干渉させることなく、各浮体ユニットを接近させることができる。また、傾斜した浮体ユニットの姿勢を戻すことで、下部接合部材同士を上下方向に嵌め合わせることができる。したがって、二体の浮体ユニットを接合するときに、各浮体ユニットの喫水部分を簡単に接合することができる。また、各浮体ユニットの喫水部分よりも上方では上部接合部材同士を固着しており、各浮体ユニットが相対的に移動しないため、各浮体ユニットの喫水部分を確実に接合することができる。
【発明を実施するための最良の形態】
【００１９】
次に、本発明の実施形態について、適宜図面を参照しながら詳細に説明する。
本実施形態では、複数の浮体ユニットを海や河川などの水上に浮かべることで浮桟橋などの浮体構造物を構築する場合を例として説明する。
【００２０】
[浮体構造物の構成]
浮体構造物１は、図１に示すように、左右方向に並設された三体の浮体ユニット１０・・・を、前後方向に五列並べて接合したものであり、十五体の浮体ユニット１０・・・によって、平面視で長方形の浮体構造物１が構成されている。
【００２１】
なお、本実施形態の各浮体ユニット１０・・・は、前後左右の面に突設された上部接合部材１７及び下部接合部材１８の構成（図２参照）が異なる以外は同一の構成となっている。そのため、以下の説明では、並設された各浮体ユニット１０・・・全体の中央に配置される浮体ユニット１０ａ３について詳細に説明し、他の浮体ユニット１０については異なる点についてのみ説明する。
【００２２】
浮体ユニット１０ａ３は、図２に示すように、中空な箱状の部材であり（図３（ａ）参照）、鋼板によって上面１１、下面１２、左側面１３、右側面１４、前面１５、後面１６が形成され、前後方向を長手方向とした直方体となっている。この浮体ユニット１０は、一般的なトラックやコンテナなどの搬送手段に積載可能な大きさに形成されている。
また、浮体ユニット１０ａ３を水上に浮かべたときには、高さ方向の略中央よりも下部は水中に沈んだ喫水部分Ｗとなる。
【００２３】
浮体ユニット１０ａ３の左側面１３、右側面１４、前面１５、後面１６において、喫水部分Ｗよりも上方には複数の上部接合部材１７・・・が突設され、喫水部分Ｗには複数の下部接合部材１８・・・が突設されている。
【００２４】
上部接合部材１７は、図３（ａ）及び（ｂ）に示すように、両面が水平方向に向けられた鋼板であり、その基端部が溶接によって各面１３，１４，１５，１６に取り付けられている。
上部接合部材１７の先端部の外形は半円状に形成されており、上部接合部材１７の先端部には、水平方向に貫通した貫通孔１７ａが形成されている。なお、浮体ユニット１０ａ３の各面１３，１４，１５，１６に設けられた各上部接合部材１７・・・は、他の浮体ユニット１０との接合方向に突出しているため（図５（ａ）及び（ｂ）参照）、上部接合部材１７に形成された貫通孔１７ａは、浮体ユニット１０の接合方向に対して直交する幅方向に貫通していることになる。
【００２５】
左側面１３及び右側面１４には、それぞれ四体の上部接合部材１７・・・が上端縁に沿って等間隔に取り付けられている。また、前面１５及び後面１６には、それぞれ五体の上部接合部材１７・・・が上端縁に沿って等間隔に取り付けられている。
【００２６】
下部接合部材１８は、図２に示すように、基端部が溶接によって各面１３，１４，１５，１６に取り付けられた鋼材であり、図３（ａ）及び（ｂ）に示すように、その先端部には上向きに突出した係合部１８ａが形成され、係合部１８ａと基端部との間には凹部１８ｂが形成されている。
【００２７】
左側面１３及び右側面１４には、それぞれ四体の下部接合部材１８・・・が下端縁に沿って等間隔に取り付けられている。また、前面１５及び後面１６には、それぞれ三体の下部接合部材１８・・・が下端縁に沿って等間隔に取り付けられている。
【００２８】
ここで、図１に示す浮体構造物１では、外側面に船舶などが接触する可能性があるため、外側面には突起物が設けられていないことが望ましい。したがって、浮体構造物１を構成する各浮体ユニット１０・・・では、浮体構造物１の外側面を構成する面、すなわち、他の浮体ユニット１０が接合されない面には、上部接合部材１７及び下部接合部材１８（図２参照）が設けられていない。
【００２９】
次に、各浮体ユニット１０・・・の接合構造について、各浮体ユニット１０・・・を並設して浮体構造物１を構築したときに、最前列に配置される三体の浮体ユニット１０ａ１，１０ｂ１，１０ｃ１の接合構造を例として説明する。
なお、図４（ａ）に示す前列中央の浮体ユニット１０ａ１では、下部接合部材１８の係合部１８ａが上向きに突出し、図４（ｂ）に示す前列左側の浮体ユニット１０ｂ１では、下部接合部材１８の係合部１８ａが下向きに突出し、図４（ｃ）に示す前列右側の浮体ユニット１０ｃ１では、下部接合部材１８の係合部１８ａが下向きに突出している。
【００３０】
図５（ａ）に示すように、前列中央の浮体ユニット１０ａ１と、前列右側の浮体ユニット１０ｃ１との接合構造では、各浮体ユニット１０ａ１，１０ｃ１の下部接合部材１８，１８同士が上下方向に嵌め合わされている。
具体的には、前列中央の浮体ユニット１０ａ１の下部接合部材１８に形成された上向きの係合部１８ａが、前列右側の浮体ユニット１０ｃ１の下部接合部材１８に形成された下向きの凹部１８ｂに入り込んで密着している。また、前列右側の浮体ユニット１０ｃ１の下部接合部材１８に形成された下向きの係合部１８ａが、前列中央の浮体ユニット１０ａ１の下部接合部材１８に形成された上向きの凹部１８ｂに入り込んで密着している。そして、各下部接合部材１８，１８の係合部１８ａ，１８ａが左右方向に引っ掛かることで、下部接合部材１８，１８同士が接合方向に係合されている。
【００３１】
また、図５（ｂ）に示すように、前列中央の浮体ユニット１０ａ１と、前列右側の浮体ユニット１０ｃ１との接合構造では、各浮体ユニット１０ａ１，１０ｃ１の上部接合部材１７，１７が前後方向に重なっており、各上部接合部材１７，１７の貫通孔１７ａ，１７ａが連通している。そして、各上部接合部材１７，１７の貫通孔１７ａ，１７ａにボルトＢを挿通させ、ボルトＢの先端部にナットＮを締め込むことで、上部接合部材１７，１７同士が締結部材（ボルトＢ及びナットＮ）によって固着されている。
【００３２】
図８（ｂ）に示すように、前列中央の浮体ユニット１０ａ１と、前列左側の浮体ユニット１０ｂ１との接合構造では、前記した各浮体ユニット１０ａ１，１０ｃ１の接合構造と同様に、下部接合部材１８，１８同士が接合方向に係合されているとともに、上部接合部材１７，１７同士が固着されている。
【００３３】
図１に示す浮体構造物１を構成する各浮体ユニット１０・・・では、前記した最前列の浮体ユニット１０ａ１，１０ｂ１，１０ｃ１の接合構造と同様に、隣り合う二体の浮体ユニット１０，１０の下部接合部材１８，１８同士が接合方向に係合されるとともに、上部接合部材１７，１７同士が固着されることで（図５（ａ）参照）、各浮体ユニット１０・・・が接合されている。
したがって、各浮体ユニット１０・・・では、隣り合う二体の浮体ユニット１０，１０の下部接合部材１８，１８同士を上下方向に嵌め合わせることができるように（図５（ａ）参照）、隣り合う二体の浮体ユニット１０，１０の下部接合部材１８，１８の係合部１８ａ，１８ａの突出方向が上下に異なっている。
【００３４】
[浮体構造物の施工方法]
次に、図１に示す浮体構造物１の施工方法について説明する。
本実施形態では、最前列に配置される三体の浮体ユニット１０ａ１，１０ｂ１，１０ｃ１を接合した後に、順次に後方側の浮体ユニット１０を接合することで、浮体構造物１を構築する。
本実施形態の施工方法では、各浮体ユニット１０，１０を水上で上下方向に傾斜させる傾斜工程（図６（ａ）参照）と、各浮体ユニット１０，１０を接近させる接近工程（図６（ｂ）参照）と、傾斜した各浮体ユニット１０，１０の姿勢を戻して、各浮体ユニット１０，１０の下部接合部材１８，１８同士を上下方向に嵌め合わせる下部係合工程（図７（ａ）参照）と、各浮体ユニット１０，１０の上部接合部材１７，１７同士を固着する上部固着工程（図７（ｂ）参照）と、を行うことで隣り合う二体の浮体ユニット１０，１０を接合している。以下、各工程について詳細に説明する。
【００３５】
傾斜工程では、図６（ａ）に示すように、前列中央の浮体ユニット１０ａ１及び前列右側の浮体ユニット１０ｃ１を水上に浮かべて、前列右側の浮体ユニット１０ｃ１の上面１１の右端に錘２０を積載するとともに、前列中央の浮体ユニット１０ａ１の上面１１の右端に錘２０を積載する。これにより、前列右側の浮体ユニット１０ｃ１の下部接合部材１８が、前列中央の浮体ユニット１０ａ１の下部接合部材１８よりも上方に位置するように、各浮体ユニット１０ａ１，１０ｃ１が右下がりに傾斜した状態となる。
【００３６】
接近工程では、図６（ｂ）に示すように、各浮体ユニット１０ａ１，１０ｃ１を右下がりに傾斜させた状態で、各浮体ユニット１０ａ１，１０ｃ１の間に掛け渡した牽引ロープ（図示せず）を用いて、前列右側の浮体ユニット１０ｃ１を前列中央の浮体ユニット１０ａ１側に引き寄せて接近させる。これにより、各浮体ユニット１０ａ１，１０ｃ１の下部接合部材１８，１８が上下方向に間隔を空けて配置される。
【００３７】
下部係合工程では、図７（ａ）に示すように、各浮体ユニット１０ａ１，１０ｃ１の上面に積載した錘２０，２０をそれぞれ上面１１の中央に移動させる。これにより、傾斜した各浮体ユニット１０ａ１，１０ｃ１の姿勢が水平状態に戻ることになり、各浮体ユニット１０ａ１，１０ｃ１の下部接合部材１８，１８同士が上下方向に嵌め合わされ、下部接合部材１８，１８同士が接合方向に係合される。
【００３８】
上部固着工程では、図７（ｂ）に示すように、各浮体ユニット１０ａ１，１０ｃ１の上部接合部材１７，１７の貫通孔１７ａ，１７ａにボルトＢを挿通させ、このボルトＢの先端部にナットＮを締め付けることで、上部接合部材１７，１７同士を固着する（図５（ｂ）参照）。なお、上部接合部材１７，１７同士を固着する作業は、各浮体ユニット１０ａ１，１０ｃ１の上面１１，１１に載った作業者によって行われる。
【００３９】
また、各浮体ユニット１０ａ１，１０ｃ１の上面１１，１１の間に上方から塞ぎ板３０を嵌め込むことで、各浮体ユニット１０ａ１，１０ｃ１の隙間を閉塞する（図１参照）。なお、塞ぎ板３０の下面にはリブ３１が突設されており、リブ３１の下端部が上部接合部材１７に当接することで、塞ぎ板３０の上面と、各浮体ユニット１０ａ１，１０ｃ１の上面１１，１１とが面一になるように構成されている。
【００４０】
前記した各工程によって、前列中央の浮体ユニット１０ａ１と前列右側の浮体ユニット１０ｃ１とを接合した後に、図８（ａ）に示すように、前列中央の浮体ユニット１０ａ１の上面１１の左端に錘２０を積載して、接合した各浮体ユニット１０ａ１，１０ｃ１を左下がりに傾斜させる。また、前列左側の浮体ユニット１０ｂ１の上面１１の左端に錘２０を積載して、前列左側の浮体ユニット１０ｂ１を左下がりに傾斜させる（傾斜工程）。
そして、接合した各浮体ユニット１０ａ１，１０ｃ１側に前列左側の浮体ユニット１０ｂ１を引き寄せて接近させ（接近工程）、接合した各浮体ユニット１０ａ１，１０ｃ１及び前列左側の浮体ユニット１０ｂ１の姿勢を戻すことで、図８（ｂ）に示すように、各浮体ユニット１０ａ１，１０ｂ１の下部接合部材１８，１８同士を接合方向に係合させる（下部係合工程）。
さらに、各浮体ユニット１０ａ１，１０ｂ１の上部接合部材１７，１７同士を固着し、各浮体ユニット１０ａ１，１０ｂ１の隙間に塞ぎ板３０を取り付けることで（上部固着工程）、最前列に配置される三体の浮体ユニット１０ａ１，１０ｂ１，１０ｃ１を接合する。
【００４１】
続いて、前後方向に配置される浮体ユニット１０，１０（図１参照）を接合する場合には、図９（ａ）に示すように、前側の浮体ユニット１０の上面１１の前端に錘２０を積載して、前側の浮体ユニット１０を前下がりに傾斜させるとともに、後側の浮体ユニット１０の上面１１の前端に錘２０を積載して、後側の浮体ユニット１０を前下がりに傾斜させる（傾斜工程）。
そして、前側の浮体ユニット１０側に後側の浮体ユニット１０を引き寄せて接近させ（接近工程）、各浮体ユニット１０，１０の姿勢を戻すことで、図９（ｂ）に示すように、各浮体ユニット１０，１０の下部接合部材１８，１８同士を接合方向に係合させる（下部係合工程）。
さらに、各浮体ユニット１０，１０の上部接合部材１７，１７同士を固着し、各浮体ユニット１０，１０の隙間に塞ぎ板３０を取り付けることで（上部固着工程）、前後方向に配置される二体の浮体ユニット１０，１０を接合する。
【００４２】
前記したように左右方向及び前後方向に隣り合う二体の浮体ユニット１０，１０を順次に接合することで、図１に示すように、複数の浮体ユニット１０・・・によって構成される浮体構造物１を構築する。
【００４３】
[浮体構造物及び浮体構造物の施工方法の作用効果]
前記した浮体構造物１及び浮体構造物１の施工方法では、図６（ｂ）に示すように、隣り合う二体の浮体ユニット１０，１０を上下方向に傾斜させることで、各浮体ユニット１０，１０の下部接合部材１８，１８同士を干渉させることなく、各浮体ユニット１０，１０を接近させることができる。また、図７（ａ）に示すように、傾斜した各浮体ユニット１０，１０の姿勢を戻すことで、各浮体ユニット１０，１０の下部接合部材１８，１８を上下方向に嵌め合わせることができる。
したがって、前記した浮体構造物１及び浮体構造物１の施工方法では、二体の浮体ユニット１０，１０を接合するときに、各浮体ユニット１０，１０の喫水部分Ｗ，Ｗをボルトなどの締結部材によって水中で固着する必要がないため、各浮体ユニット１０，１０の喫水部分を簡単に接合することができる。
また、各浮体ユニット１０，１０の喫水部分Ｗ，Ｗよりも上方では上部接合部材１７，１７同士を固着しており（図７（ｂ）参照）、各浮体ユニット１０，１０が相対的に移動しないため、下部接合部材１８，１８同士の係合が解除されてしまうのを防ぐことができ、各浮体ユニット１０，１０の喫水部分Ｗ，Ｗを確実に接合することができる。
【００４４】
また、各浮体ユニット１０，１０の上部接合部材１７，１７同士を締結部材（ボルトＢ及びナットＮ）によって固着しており（図５（ｂ）参照）、浮体ユニット１０の上面１１に載った作業者によって各浮体ユニット１０，１０の喫水部分Ｗ，Ｗよりも上方を簡単に接合することができる。
また、各浮体ユニット１０，１０の上部接合部材１７，１７には、接合方向の幅方向にボルトＢが挿通されており、各浮体ユニット１０，１０が上下方向に相対移動しないため、上下方向に嵌め合わされた下部接合部材１８，１８同士の係合が解除されてしまうのを確実に防ぐことができる。
【００４５】
また、図６（ａ）及び図７（ａ）に示すように、浮体ユニット１０に積載された錘２０を移動させることで、浮体ユニット１０の姿勢を簡単に変化させることができるため、各浮体ユニット１０・・・を接合するときの作業効率を向上させることができる。
【００４６】
[他の実施形態]
以上、本発明の実施形態について説明したが、本発明は前記実施形態に限定されることなく、その趣旨を逸脱しない範囲で適宜に設計変更が可能である。
例えば、本実施形態では、図６（ａ）に示すように、隣り合う二体の浮体ユニット１０，１０を水上で傾斜させているが、一方の浮体ユニット１０のみを水上で傾斜させることで、一方の浮体ユニット１０の下部接合部材１８を他方の浮体ユニット１０の下部接合部材１８よりも上方又は下方に位置させることもできる。
【００４７】
また、本実施形態では、図２に示すように、一体の浮体ユニット１０に設けられた下部接合部材１８の係合部１８ａが全て同一方向に突出しているが、左側面１３と右側面１４とにおいて下部接合部材１８の係合部１８ａの突出方向を逆方向にしてもよく、同様に、前面１５と後面１６とにおいて下部接合部材１８の係合部１８ａの突出方向を逆方向にしてもよい。
【００４８】
また、本実施形態では、上部接合部材１７を各面１３，１４，１５，１６の上端縁の近傍に設けているが、上部接合部材１７は喫水部分Ｗよりも上方に設けられていればよい。また、本実施形態では、下部接合部材１８を各面１３，１４，１５，１６の下端縁の近傍に設けているが、下部接合部材１８は喫水部分Ｗに設けられていればよい。さらに、上部接合部材１７及び下部接合部材１８の個数は限定されるものではなく、浮体ユニット１０の大きさなどを考慮して適宜に定められる。
【００４９】
また、本実施形態では、浮体ユニット１０を水上で上下方向に傾斜させるために、浮体ユニット１０の上面１１に錘２０を積載しているが、作業者の重量によって浮体ユニット１０を傾斜させることもできる。この構成では、浮体ユニット１０の上面１１を作業者が移動することで、浮体ユニット１０を傾斜させるとともに、傾斜した浮体ユニット１０の姿勢を戻すことができるため、作業効率を向上させることができる。
【００５０】
また、本実施形態では、図５（ａ）に示すように、一方の浮体ユニット１０の下部接合部材１８の係合部１８ａを、他方の浮体ユニット１０の下部接合部材１８の凹部１８ｂに入り込ませることで、下部接合部材１８，１８同士を接合方向に係合させているが、下部接合部材１８の構成は限定されるものではない。例えば、一方の浮体ユニット１０の下部接合部材１８に形成された上下方向の貫通孔に、他方の浮体ユニット１０の下部接合部材１８に形成した突起部を挿入することで、下部接合部材１８，１８同士を接合方向に係合させることもできる。
【００５１】
また、本実施形態では、図５（ｂ）に示すように、上部接合部材１７，１７同士を締結部材（ボルトＢ及びナットＮ）によって固着しているが、上部接合部材１７，１７同士を固着する構成は限定されるものではなく、例えば、上部接合部材１７，１７同士を溶接によって固着してもよい。
【００５２】
また、本実施形態では、図１に示すように、浮体ユニット１０は直方体に形成されているが、その形状は限定されるものではない。さらに、浮体構造物１を構成する複数の浮体ユニット１０・・・を全て同じ形状にする必要はなく、各浮体ユニット１０・・・の形状がそれぞれ異なっていてもよい。
【００５３】
また、本実施形態では、図２に示す浮体ユニット１０が鋼製の箱状部材によって形成されているが、樹脂製の箱状部材やコンクリート製の箱状部材など、浮体ユニット１０を形成する材料は限定されるものではない。
【図面の簡単な説明】
【００５４】
【図１】本実施形態の浮体構造物を示した斜視図である。
【図２】本実施形態の浮体ユニットを示した斜視図である。
【図３】本実施形態の浮体ユニットを示した図で、（ａ）は一部を断面で示した平面図、（ｂ）は側面図である。
【図４】本実施形態の浮体ユニットを示した図で、（ａ）は前列中央の浮体ユニットの正面図、（ｂ）は前列左側の浮体ユニットの正面図、（ｃ）は前列右側の浮体ユニットの正面図である。
【図５】本実施形態の浮体ユニットの接合構造を示した図で、（ａ）は正面図、（ｂ）は平面図である。
【図６】本実施形態の浮体構造物の施工方法を示した図で、（ａ）は傾斜工程において各浮体ユニットを傾斜させた状態の正面図、（ｂ）は接近工程において各浮体ユニットを接近させた状態の正面図である。
【図７】本実施形態の浮体構造物の施工方法を示した図で、（ａ）は下部係合工程において下部接合部材を係合させた状態の正面図、（ｂ）は上部固着工程において上部接合部材を固着させた状態の正面図である。
【図８】本実施形態の浮体構造物の施工方法を示した図で、（ａ）は傾斜工程において三体の浮体ユニットを傾斜させた状態の正面図、（ｂ）は三体の浮体ユニットを接合した状態の正面図である。
【図９】本実施形態の浮体構造物の施工方法を示した図で、（ａ）は傾斜工程において前後方向に配置された二体の浮体ユニットを傾斜させた状態の側面図、（ｂ）は前後方向に配置された二体の浮体ユニットを接合した状態の側面図である。
【図１０】従来の浮体構造物における浮体ユニットの接合構造を示した側面図である。
【符号の説明】
【００５５】
１      浮体構造物
１０    浮体ユニット
１０ａ１  前列中央の浮体ユニット
１０ａ３  全体中央の浮体ユニット
１０ｂ１  前列左側の浮体ユニット
１０ｃ１  前列右側の浮体ユニット
１７    上部接合部材
１７ａ  貫通孔
１８    下部接合部材
１８ａ  係合部
１８ｂ  凹部
２０    錘
３０    塞ぎ板
Ｂ      ボルト
Ｎ      ナット
Ｗ      喫水部分
【図１】
2009299263.tif 000003
【図２】
2009299263.tif 000004
【図３】
2009299263.tif 000005
【図４】
2009299263.tif 000006
【図５】
2009299263.tif 000007
【図６】
2009299263.tif 000008
【図７】
2009299263.tif 000009
【図８】
2009299263.tif 000010
【図９】
2009299263.tif 000011
【図１０】
2009299263.tif 000012